(57)【特許請求の範囲】
【請求項１】
金融取引に関する属性情報を表示するとともに、利用者との取引情報を記録する通帳において、
前記取引情報を記録する取引情報頁に、第１又は第２の方向によって色変化する色変化インキを用いて前記取引情報の下地層を形成した色変化領域を備えることを特徴とする色変化通帳。
【請求項２】
請求項１に記載の色変化通帳において、
前記色変化領域は、地紋パターンを印刷してあることを特徴とする色変化通帳。
【請求項３】
請求項２に記載の色変化通帳において、
更に、前記属性情報を表示する表紙の図案を含む領域の上層に、第１又は第２の方向によって色変化する色変化インキを用いて形成した色変化領域を備えることを特徴とする色変化通帳。
【請求項４】
請求項３に記載の色変化通帳において、
更に、前記属性情報を表示する表紙の金融機関名又は通帳名、所有者の氏名を含む領域の上層に、第１又は第２の方向によって色変化する色変化インキを用いて形成した色変化領域を備えることを特徴とする色変化通帳。
【請求項５】
請求項１から請求項４いずれかに記載の色変化通帳において、
前記色変化インキは、透明な媒体中に、高屈折率層と低屈折率層を積層した顔料を分散させたことを特徴とする色変化通帳。
【発明の詳細な説明】
【０００１】
【発明の属する技術分野】
この発明は、例えば銀行等の金融機関と利用者との取引に関する情報を記録する通帳に関するものである。
【０００２】
【従来の技術】
図６は、従来の通帳の外観の一例を示す斜視図である。通帳１０の表紙には、通帳名を表示する領域１１、金融機関名を表示する領域１２、および店番，口座番号，並びに所有者の氏名等を表示する領域１３、イラスト等の図案を表示する領域１４とが設けられている。
【０００３】
これらの通帳１０は、各金融機関が独自に発行するものであるので、それぞれ上記情報を表示する領域１１〜１４に独自のデザインを施して、個性を持たせる工夫がなされている。特に、表紙の大半を占める領域１４は、他の金融機関のものとの差別化を図るために、著名なイラストを使用するなどの工夫が凝らされていた。
【０００４】
【発明が解決しようとする課題】
しかし、前述した従来の通帳１０では、通帳記帳機による処理等の都合上、ほとんどの金融機関の通帳１０の形状が統一化されている。また、領域１４のデザインにおいても、著名なイラストを多くの金融機関で使用しているために、通帳１０に独自性を持たせることが、困難であった。
また、カラーコピー機の普及により、通帳の偽造が容易になり、悪用される恐れがあった。
【０００５】
本発明の課題は、通帳の個性を引き出すとともに、安価に、偽造防止効果が得られる色変化通帳を提供することである。
【０００６】
【課題を解決するための手段】
前記課題を解決するために、請求項１の発明は、金融取引に関する属性情報を表示するとともに、利用者との取引情報を記録する通帳（３０）において、前記取引情報を記録する取引情報頁に、第１又は第２の方向によって色変化する色変化インキを用いて前記取引情報の下地層を形成した色変化領域を備えることを特徴とする色変化通帳である。
【０００７】
請求項２の発明は、請求項１に記載の色変化通帳において、前記色変化領域は、地紋パターンを印刷してあることを特徴とする色変化通帳である。
【０００８】
請求項３の発明は、請求項２に記載の色変化通帳において、更に、前記属性情報を表示する表紙の図案を含む領域の上層に、第１又は第２の方向によって色変化する色変化インキを用いて形成した色変化領域を備えることを特徴とする色変化通帳である。
【０００９】
請求項４の発明は、請求項３に記載の色変化通帳において、更に、前記属性情報を表示する表紙の金融機関名又は通帳名、所有者の氏名を含む領域の上層に、第１又は第２の方向によって色変化する色変化インキを用いて形成した色変化領域を備えることを特徴とする色変化通帳である。
【００１０】
請求項５の発明は、請求項１から請求項４いずれかに記載の色変化通帳において、前記色変化インキは、透明な媒体中に、高屈折率層と低屈折率層を積層した顔料を分散させたことを特徴とする色変化通帳である。
【００１２】
【発明の実施の形態】
以下、図面等を参照して、本発明の実施の形態について、さらに詳しくに説明する。なお、前述した従来例と同様の機能を果たす部分には、同一の符号を付して、重複する説明を適宜省略する。
（第１実施形態）
図１は、本発明による色変化通帳の第１実施形態である通帳３０を示す平面図である。
【００１３】
通帳３０は、その表紙に、それぞれ情報を表示する領域３１〜３３と、色変化領域５０が設けられている。
領域３１は、店番，口座番号，並びに所有者を表示する領域である。領域３２は、金融機関名を表示する領域である。領域３３は、イラスト等の図案を表示する領域である。
色変化領域５０は、属性情報表示領域３１〜３３の一部の上層に形成され、第１の角度αと第２の角度βによって、色変化する色変化インキを用いて、文字，図形等の画像を形成した領域である。図１では、イラストの動物の目に設けられている。
色変化インキは、例えば、透明なビヒクル中に、高屈折率の酸化ケイ素、酸化チタン、酸化鉄などの層と、低屈折率のマイカ等の層を積層した顔料を分散したものが使用できる。
【００１４】
図２は、本発明による色変化通帳の第１実施形態に係る色変化領域を示す図である。
色変化領域５０は、透明な媒体５２中に高屈折率層と低屈折率層を積層した顔料５１を分散した色変化インキによって、画像が形成されている。
入射光は、図２（Ａ）に示すように、顔料５１によって反射して、第１の角度α方向に出射するとともに、顔料５１を高屈折率で透過したのちに、領域３３の表面で反射して、第２の角度β方向に出射する。
【００１５】
このときに、顔料５１の反射光と透過光の関係は、図２（Ｂ）に示すように、その顔料５１の厚さによって、可視光線の波長のいずれかが干渉して、以下のような組み合わせとなる。
【００１６】
［表１］
顔料の厚さ（ｎｍ）  反射光      透過光
▲１▼  ４０〜６０            銀色        透明
▲２▼  ６０〜８０            黄色        青色
▲３▼  ８０〜１００          赤色        緑色
▲４▼  １００〜１４０        青色        黄色
▲５▼  １２０〜１６０        緑色        赤色
【００１７】
従って、例えば、色変化領域５０は、第１の角度αで銀色に見えた場合には、第２の角度βでは透明に見えることになる。
【００１８】
図３は、本発明による色変化通帳の第１実施形態に係る視覚効果を説明する図である。
この実施形態では、図３（Ａ）に示すように、領域３１には、店番，口座番号，並びに所有者を、領域３２には、金融機関名を、領域３３には、動物のイラストをそれぞれ表示した。さらに、動物の目の上層に色変化領域５０として、［表１］の▲４▼の顔料をインキ化して印刷した。
【００１９】
この色変化通帳３０は、図３（Ａ）に示すように、第１の角度αで見た場合には、色変化領域５０である動物の目が「青色」に光って見える。
ついで、図３（Ｂ）に示すように、第２の角度βで見た場合には、色変化領域５０は「淡黄色」であり、ほぼ透明であるため、下層の領域３３のイラストの動物の目が見えることになる。
【００２０】
本実施形態によれば、見る角度によって、図案が変わるので、また、通常の印刷では得られない光沢のある色合いが出せるので、アイキャッチ効果を高められ、通帳３０に高級感や独自性が生まれ、他の金融機関のものとの差別化が図れる。
【００２１】
（第２実施形態）
図４は、本発明による色変化通帳の第２実施形態である通帳３０−２の表紙を示す図である。
本実施形態では、色変化領域５０は、領域３１及び領域３２の上層に設けられている。
【００２２】
本実施形態によれば、通常は、色変化領域５０に描かれた模様や図案により、領域３１及び領域３２は隠され、傾けると、領域３１及び領域３２の情報が確認できる。そのため、図案を表示する領域が拡大できて、デザインの自由度が広がる。
【００２３】
（第３実施形態）
図５は、本発明による色変化通帳の第３実施形態である通帳の取引情報頁の平面図と視覚効果を説明する図である。
本実施形態では、取引情報頁７０の色変化領域７１として、「ＤＮＰ」という文字の地紋パターンを印刷し、その上に取引情報を印刷した。
【００２４】
本実施形態によれば、第１の角度αでは、地紋が見えるので［図５（Ｃ）］、通常の用紙との頁の差し替えが行われていないことがわかり、第２の角度βで見れば、地紋が見えないので［図５（Ｄ）］、印字した取引情報が見やすい。しかも、万一、カラーコピー機などにより、一定角度からの外観を複写された場合は、この画像切り換えの効果はでないので、特別な判別装置を用いることなく、偽造通帳の判別ができる。
【００２５】
（変形形態）
以上説明した実施形態に限定されることなく、種々の変形や変更が可能であって、それらも本発明の均等の範囲内である。
例えば、色変化インキの顔料を複数用いて塗り分けてもよい。
また、色変化領域のさらに上層に、ラミネートフィルムを積層したり、ＯＰインキなどを塗布してもよい。
さらに、表紙の色変化領域に地紋パターンを印刷してもよい。
【００２６】
【発明の効果】
以上詳しく説明したように、請求項１の発明によれば、取引情報を記録する取引情報頁に色変化領域を備えたので、特別な判別装置を用いることなく、偽造通帳の判別ができる。
【００２７】
請求項２の発明によれば、色変化領域は、地紋パターンを印刷してあるので、パターンによって、他の通帳と判別ができる。
【００２８】
請求項３の発明によれば、通帳の属性情報を表示する表紙に色変化領域を備えたので、通帳に高級感や独自性が生まれ、他の金融機関のものとの差別化が図れる。また、色変化領域は、図案を含む領域の上層に設けたので、見る角度によって図案を変化させることができる。
【００２９】
請求項４の発明によれば、色変化領域は、金融機関名又は通帳名、所有者の氏名を含む領域の上層に設けたので、それら金融機関名等の上にも図案等を描くことができる。
【００３０】
請求項５の発明によれば、色変化インキは、透明な媒体中に、高屈折率層と低屈折率層を積層した顔料を分散させているので、顔料の厚さによって、色を変えることができる。
【図面の簡単な説明】
【図１】本発明による色変化通帳の第１実施形態である通帳３０を示す平面図である。
【図２】本発明による色変化通帳の第１実施形態に係る色変化領域を示す図である。
【図３】本発明による色変化通帳の第１実施形態に係る視覚効果を説明する図である。
【図４】本発明による色変化通帳の第２実施形態である通帳３０−２の表紙を示す図である。
【図５】図５は、本発明による色変化通帳の第３実施形態である通帳の取引情報頁の平面図と視覚効果を説明する図である。
【図６】従来の通帳の外観の一例を示す斜視図である。
【符号の説明】
１０、３０  通帳
１１〜１４、３１〜３３  情報の表示領域
５０、７１  色変化領域
７０  取引情報頁
【図１】
0003868080.tif 000002
【図２】
0003868080.tif 000003
【図３】
0003868080.tif 000004
【図４】
0003868080.tif 000005
【図５】
0003868080.tif 000006
【図６】
0003868080.tif 000007